(57)【特許請求の範囲】
【請求項１】
アプリケーションを提供するアプリケーションサーバ、及び前記アプリケーションを利用可能なクライアント端末を含み、該クライアント端末に対して緊急メッセージを配信する緊急メッセージ配信システムであって、
前記アプリケーションサーバは、
前記クライアント端末が前記アプリケーションを実行中であるか否かを示すアプリケーション実行情報、及び前記クライアント端末の接続先情報を保持する保持部と、
前記アプリケーションサーバが緊急メッセージを受信した場合、前記クライアント端末が前記アプリケーションを実行中であるか否かを、前記アプリケーション実行情報により判断する判断部と、
前記クライアント端末が前記アプリケーションを実行中であると前記判断部が判断した場合、該クライアント端末に対して、前記アプリケーションの実行を中止するか否かを選択させるための緊急メッセージを前記接続先情報に基づいて送信する電文送信部と、を備え、
前記クライアント端末は、
前記緊急メッセージを受信した場合、前記実行中のアプリケーションを中断するか否かの選択をユーザ入力により受け付ける受付部と、
前記受付部が前記実行中のアプリケーションを中断する選択をユーザ入力より受け付けた場合、前記アプリケーションサーバに対して応答電文を送信する応答電文送信部と、
を備え、
前記アプリケーションサーバは、
前記応答電文送信部により送信された応答電文を受信する受信部と、前記応答電文を受信した場合に、前記アプリケーションの実行を停止する停止部とを更に備え、
前記アプリケーションは、第一緊急度を有する第一アプリケーション、及び前記第一緊急度より緊急度が低い第二緊急度を有する第二アプリケーションを含み、
前記判断部は、
前記アプリケーションサーバが緊急メッセージを受信した場合、前記クライアント端末が、前記第一アプリケーションを実行中であるか否か、また、前記第二アプリケーションを実行中であるか否かを前記保持部から判断し、
前記電文送信部は、
前記クライアント端末が前記第一アプリケーションを実行中であると前記判断部が判断した場合、該クライアント端末に対して、前記アプリケーションの実行を中止するか否かを選択させるための緊急メッセージを前記接続先情報に基づいて送信し、
前記クライアント端末が前記第二アプリケーションを実行中であると前記判断部が判断した場合、該クライアント端末に対して、前記アプリケーションの実行を停止したことを通知するための緊急メッセージを前記接続先情報に基づいて送信し、
前記停止部は、
前記クライアント端末が前記第二アプリケーションを実行中であると前記判断部が判断した場合、前記アプリケーションの実行を停止する、緊急メッセージ配信システム。
【請求項２】
前記送信部は、前記クライアント端末が前記アプリケーションを実行中でないと前記判断部が判断した場合、該クライアント端末に対して前記アプリケーションの実行を禁止するための緊急メッセージを送信する、請求項１に記載の緊急メッセージ配信システム。
【請求項３】
緊急メッセージを前記アプリケーションサーバに対して通知する緊急メッセージ通知システムを更に含む、請求項１又は請求項２に記載の緊急メッセージ配信システム。
【請求項４】
アプリケーションを提供するアプリケーションサーバ、及び前記アプリケーションを利用可能なクライアント端末を含むシステムにおいて、該クライアント端末に対して緊急メッセージを配信する緊急メッセージ配信方法であって、
前記アプリケーションは、第一緊急度を有する第一アプリケーション、及び前記第一緊急度より緊急度が低い第二緊急度を有する第二アプリケーションを含み、
前記アプリケーションサーバが、前記クライアント端末が前記アプリケーションを実行中であるか否かを示すアプリケーション実行情報、及び前記クライアント端末の接続先情報を保持する段階と、
前記アプリケーションサーバが、緊急メッセージを受信した場合、前記クライアント端末が前記アプリケーションを実行中であるか否かを前記アプリケーション実行情報により判断する段階と、
前記アプリケーションサーバが、前記クライアント端末が前記アプリケーションを実行中であると判断した場合、該クライアント端末に対して前記アプリケーションの実行を中止するか否かを選択させるための緊急メッセージを前記接続先情報に基づいて送信する段階と、
前記クライアント端末が、前記緊急メッセージを受信した場合、前記実行中のアプリケーションを中断するか否かの選択をユーザ入力により受け付ける段階と、
前記クライアント端末が、前記実行中のアプリケーションを中断する選択をユーザ入力より受け付けた場合、前記アプリケーションサーバに対して応答電文を送信する段階と、
前記アプリケーションサーバが、前記応答電文を受信する段階と、
前記アプリケーションサーバが、前記アプリケーションの実行を停止する段階と、を含み、
前記判断する段階は、
前記クライアント端末が前記第一アプリケーションを実行中であるか否か、前記第二アプリケーションを実行中であるか否かを、前記保持部から判断する段階を含み、
前記アプリケーションサーバによる前記送信する段階は、
前記クライアント端末が前記第一アプリケーションを実行中であると判断した場合、該クライアント端末に対して、前記アプリケーションの実行を中止するか否かを選択させるための緊急メッセージを前記接続先情報に基づいて送信する段階と、
前記クライアント端末が前記第二アプリケーションを実行中であると判断した場合、該クライアント端末に対して、前記アプリケーションの実行を停止したことを通知するための緊急メッセージを前記接続先情報に基づいて送信する段階と、を含み、
前記停止する段階は、
前記応答電文を受信した場合、または、前記判断する段階で前記クライアント端末が前記第二アプリケーションを実行中であると判断した場合、前記アプリケーションの実行を停止する段階を含む、
緊急メッセージ配信方法。
【発明の詳細な説明】
【技術分野】
【０００１】
本発明は、緊急メッセージ配信システム及び緊急メッセージ配信方法に関する。
【背景技術】
【０００２】
従来のアプリケーションサーバにおいて、その基本的な動作処理は、クライアント端末から業務実行要求を受け、その応答をクライアント端末に返すことであり、正常応答またはエラー応答どちらの場合もクライアント端末からの業務実行要求に依存した挙動となっていた。
【先行技術文献】
【特許文献】
【０００３】
【特許文献１】特開２０１０−０１６６０４号公報
【特許文献２】特開２００９−１５９５４７号公報
【発明の概要】
【発明が解決しようとする課題】
【０００４】
アプリケーションサーバが、緊急メッセージ通知システムから緊急メッセージを受信した場合、アプリケーションサーバからクライアント端末に対して緊急に業務を中断するか否かを問い合わせることができれば、クライアントは業務を中断して早急に適切な行動をとることが可能である。しかし、クライアント端末からの業務実行要求に対して、業務実行とは無関係の応答電文をクライアント端末に対して自発的に送信するアプリケーションサーバがこれまで存在しなかったため、業務を意図的に中止させたほうがいい局面でも、アプリケーションサーバはクライアントに業務停止の是非を問い合わせることができなかった。また、クライアント端末とコネクションが確立されていないシステムでは、確実に電文をクライアント端末に届けることを保証することができない。
【０００５】
したがって、本発明は、かかる事情に鑑みてなされたものであり、クライアント端末から受けた電文の内容に依存せず、緊急メッセージをアプリケーションサーバからクライアント端末に対して自発的に通知し、クライアントが業務の実行を中断するか否かの選択を行うことができる新しい緊急メッセージ配信システム及び緊急メッセージ配信方法を提供することを目的とする。
【課題を解決するための手段】
【０００６】
本発明による緊急メッセージ配信システムによれば、アプリケーションを提供するアプリケーションサーバ、及び前記アプリケーションを利用可能なクライアント端末を含み、該クライアント端末に対して緊急メッセージを配信する緊急メッセージ配信システムであって、前記アプリケーションサーバは、前記クライアント端末が前記アプリケーションを実行中であるか否かを示すアプリケーション実行情報、及び前記クライアント端末の接続先情報を保持する保持部と、緊急メッセージの配信時、前記クライアント端末が前記アプリケーションを実行中であるか否かを、前記アプリケーション実行情報により判断する判断部と、前記クライアント端末が前記アプリケーションを実行中であると前記判断部が判断した場合、該クライアント端末に対して、前記アプリケーションの実行を中止するか否かを選択させるための電文を前記接続先情報に基づいて送信する電文送信部と、を備え、前記クライアント端末は、前記電文を受信した場合、前記実行中のアプリケーションを中断するか否かの選択をユーザ入力により受け付ける受付部を備える、緊急メッセージ配信システム。
【０００７】
本発明による緊急メッセージ配信方法によれば、アプリケーションを提供するアプリケーションサーバ、及び前記アプリケーションを利用可能なクライアント端末を含むシステムにおいて、該クライアント端末に対して緊急メッセージを配信する緊急メッセージ配信方法であって、前記アプリケーションサーバが、前記クライアント端末が前記アプリケーションを実行中であるか否かを示すアプリケーション実行情報、及び前記クライアント端末の接続先情報を保持する段階と、前記アプリケーションサーバが、緊急メッセージの配信時、前記クライアント端末が前記アプリケーションを実行中であるか否かを前記アプリケーション実行情報により判断する段階と、前記アプリケーションサーバが、前記クライアント端末が前記アプリケーションを実行中であると前記判断部が判断した場合、該クライアント端末に対して前記アプリケーションの実行を中止するか否かを選択させるための電文を前記接続先情報に基づいて送信する段階と、前記クライアント端末が、前記電文を受信した場合、前記実行中のアプリケーションを中断するか否かの選択をユーザ入力により受け付ける段階と、を含む、緊急メッセージ配信方法。
【発明の効果】
【０００８】
以上のように構成された本発明の緊急メッセージ配信システム等によれば、クライアント端末から受けた電文の内容に依存せず、アプリケーションサーバからクライアント端末に対して自発的に緊急メッセージを通知することができる。また、クライアント端末でポップアップメッセージを出して中断するか否かを選択させることで、クライアント端末は短時間で業務アプリケーションの実行を中断できる。
【図面の簡単な説明】
【０００９】
【図１】本実施形態における緊急メッセージ配信システム１の概略構成を示す。
【図２】本実施形態のアプリケーションサーバ等のハードウェア構成を示す概略図である。
【図３】本実施形態の緊急メッセージ配信方法の処理内容を示すフローチャートである。
【図４】本実施形態のアプリケーションサーバに蓄積されるデータの一例を示す。
【図５】本実施形態の緊急メッセージ配信方法において、クライアント端末上に表示されるメッセージの一例を示す。
【発明を実施するための形態】
【００１０】
以下、本発明を実施するための好適な実施形態を、図面を参照しながら説明する。図１は、本実施形態における緊急メッセージ配信システム１の概略構成を示す。
【００１１】
緊急メッセージ配信システム１は、図１に示すとおり、アプリケーションサーバ１０と、クライアント端末２０，２１と、緊急メッセージ通知システム７０とを含む。なお、アプリケーションサーバ１０、クライアント端末２０，２１、及び緊急メッセージ通知システム７０は、ハードウェアとして、図２に示すように、例えば、ＣＰＵ、ＣＰＵにバス結合されたＲＯＭ、ＲＡＭ、記憶部、入力部、表示部、および入出力インタフェースなど、通常のコンピュータ装置と同様のハードウェアを備える。また、これらのサーバや端末は、物理的には、専用化したシステム、あるいは汎用の情報処理装置のいずれであってもよい。
【００１２】
アプリケーションサーバ１０は、通信制御部３０と、クライアント接続端末情報４０と、アプリケーション緊急停止用プロセス５０と、業務アプリケーション６０とを備える。
【００１３】
通信制御部３０は、クライアント端末２０（又はクライアント端末２１）から電文を受信して業務アプリケーション６０に対して電文を送信（通知）する機能と、業務アプリケーション６０から応答電文を受信して、クライアント端末２０（又はクライアント端末２１）に対して応答電文を送信する機能と、クライアント端末２０，２１のＩＰアドレス、及びクライアント端末２０，２１が業務アプリケーション６０を実行中であるか否かの情報をクライアント接続端末情報４０へ送信する機能と、アプリケーション緊急停止用プロセス５０から緊急メッセージを受信する機能と、緊急メッセージの配信時、クライアント端末，２１がアプリケーションを実行中であるか否かを判断する機能（判断部）と、クライアント端末２０，２１に送信するための最適な電文（緊急メッセージ）をクライアント接続端末情報４０の情報から作成するメッセージ作成機能と、クライアント端末２０，２１へ情報を送信する機能（電文送信部）と、業務アプリケーション６０を停止するための電文をアプリケーション緊急停止用プロセス５０へ送信する機能（送信部）とを有する。
【００１４】
クライアント接続端末情報４０は、通信制御部３０が送信したクライアント情報を受信する機能と、クライアントのＩＰアドレス（接続先情報）と業務アプリケーション６０を実行中であるか否かを示す情報（アプリケーション実行情報）を保持する機能（保持部）とを有する。
【００１５】
アプリケーション緊急停止用プロセス５０は、緊急メッセージ通知システム７０が送信した情報を受信する機能と、緊急メッセージを通信制御部３０へ送信する機能と、業務アプリケーション６０を停止するための電文を通信制御部３０から受信する機能と、業務アプリケーション６０を停止して実行前の状態に戻す機能（停止部）とを有する。
【００１６】
業務アプリケーション６０は、通信制御部３０から送信された電文を受信する機能と、業務（アプリケーション）を実行する機能と、通信制御部３０へ応答電文を送信する機能とを有する。
【００１７】
クライアント端末２０，２１は、通信制御部３０へ電文を送信する機能と、通信制御部３０が送信した電文を受信する機能と、緊急メッセージを受け取ったときに新規の業務が実行できないようにする機能と、緊急メッセージを端末のディスプレイ上にポップアップで表示して業務（アプリケーション）を中断（又は停止）するか否かの選択をユーザ入力により受け付ける機能（受付部）と、実行中のアプリケーションを中断する選択をユーザ入力より受け付けた場合、アプリケーションサーバ１０に対して応答電文を送信する機能とを有する。
【００１８】
緊急メッセージ通知システム７０は、緊急メッセージをアプリケーションサーバ１０へ送信する機能を有する。
【００１９】
以下、図３に示すフローチャートを参照して、本実施形態の緊急メッセージ配信方法を説明する。なお、図３のフローチャートで示される各処理は、処理内容に矛盾を生じない範囲で任意に順番を変更して又は並列に実行することができる。
【００２０】
まず、クライアント端末２０は、業務アプリケーション６０の実行要求をアプリケーションサーバ１０に対して送信する（ステップＳ１００）。
【００２１】
アプリケーションサーバ１０は、クライアント端末２０から電文を受け取り、クライアントのＩＰアドレスと業務アプリケーション６０を実行中であるか否かの情報をクライアント接続端末情報４０に送信し、クライアント接続端末情報４０はそれらの情報を保持する（ステップＳ１０１）。
【００２２】
アプリケーションサーバ１０は、緊急メッセージ通知システム７０から情報を受信したか否かを確認し（ステップＳ１０２）、受信した場合であれば（ステップＳ１０２；Ｙｅｓ）、各クライアントが業務アプリケーション６０を実行中であるか否かをクライアント接続端末情報４０から判断（確認）する（ステップＳ１０３）。
【００２３】
アプリケーションサーバ１０は、業務アプリケーション６０を実行中のクライアント端末２０に対して、業務を中止するか否かをそのユーザに選択させるために、クライアント端末２０へ電文を送信する（ステップＳ１０４）。
【００２４】
クライアント端末２０は、アプリケーションサーバ１０より電文を受信すると、緊急メッセージをポップアップ表示して、実行中のアプリケーションを中断するか否かの選択をユーザ入力により受け付ける（ステップＳ１０５）。
【００２５】
ステップＳ１０４の処理と同時に、アプリケーションサーバ１０は、業務アプリケーション６０を実行中でないクライアント端末２１に対して、新規業務（アプリケーション）を実行しないようにするためにクライアント端末２１へ電文を送信する（ステップＳ１０６）。
【００２６】
クライアント端末２１は、アプリケーションサーバ１０より電文を受信すると、新規業務が実行されないようにする（ステップＳ１０７）。
【００２７】
緊急メッセージを受け取ったクライアント端末２０は業務を中断するか否かの選択を受け付けて（ステップＳ１０８）、中断する場合（ステップＳ１０８：Ｙｅｓ）、アプリケーション緊急停止用プロセス５０が、業務アプリケーション６０を停止し、業務アプリケーション６０を実行前の状態に戻す（ステップＳ１０９）。
【００２８】
次に、上述した本実施形態の緊急メッセージ配信方法の動作処理の具体例を説明する。
【００２９】
具体例として、例えば、緊急メッセージ通知システム７０が緊急地震速報を発信し、該緊急地震速報を受信したアプリケーションサーバ１０がクライアント端末２０，２１に緊急メッセージを送信する場合を説明する。
【００３０】
アプリケーションサーバ１０は、緊急地震速報を受信すると、速やかにクライアント端末２０及び／又はクライアント端末２１に対して緊急メッセージを送信する。次いで、通信制御部３０は、クライアント接続端末情報４０から、クライアント端末２０は、現在、業務アプリケーション６０を実行中であり、クライアント端末２１は、現在、業務実行中ではないと判断する。次いで、通信制御部３０は、クライアント端末２０に送信するメッセージとして、「緊急地震速報がでています。業務を中断し非難することを推奨します。業務を中断する場合は中断ボタンを押してください。」というメッセージを作成し、クライアント端末２０へ送信する。また、通信制御部３０は、クライアント２１へ送信するメッセージとして、「緊急地震速報がでています。新規業務は受け付けていません。」というメッセージを作成し、クライアント端末２１へ送信する。この結果、特に、クライアント端末２０で操作しているユーザは自身が最適と考える行動を迅速に取ることができる。
【００３１】
次に、本実施形態の緊急メッセージ配信方法の動作処理の別の具体例を説明する。上述では、業務アプリケーションは１つとして説明したが、本発明はこれに限られず、複数の業務アプリケーションが存在していてもよく、例えば、業務内容が異なる２つの業務アプリケーション６０，６１が存在する場合の動作処理を例にとって説明する。ここで、業務アプリケーション（第一アプリケーション）６０では、入金処理など比較的重要な業務を実行できるアプリケーション（業務内容：入金処理、重要度：高（第一緊急度））であり、また、業務アプリケーション（第二アプリケーション）６１では、帳票印刷など後からリトライしても比較的問題にならない業務を実行できるアプリケーション（業務内容：帳票印刷、重要度：低（第二緊急度））であるとする。アプリケーションサーバ１０は、緊急メッセージ通知システム７０のメッセージの緊急度の大きさと、業務アプリケーションの内容の重要度の度合いによって、各業務を実行中のクライアントに異なるメッセージを送信することができる。例えば、図４に示すように、アプリケーションサーバ１０は業務アプリケーションの重要度をデータとして蓄積しておき、図５に示すように、業務アプリケーション６０を実行しているクライアント端末には、アプリケーションの実行を中止するか否かを選択させるための電文、例えば、「緊急地震速報がでています。業務を中断し避難することを推奨します。業務を中断する場合は中断ボタンを押してください。」というメッセージを送信し、また、業務アプリケーション６１を実行しているクライアント端末には、アプリケーションの実行を停止したことを通知するための電文、例えば、「緊急地震速報がでています。業務を中断しました。速やかに安全な場所へ避難してください。」というメッセージを送信する。その結果、例えば、重要度が低い業務であれば、その業務を強制的に中断させることができる。
【００３２】
以上のように構成された本実施形態の緊急メッセージ配信システム等によれば、以下の効果を奏することができる。
【００３３】
第１の効果は、クライアント端末はアプリケーションサーバ１０へ接続しているだけで、緊急メッセージを受け取ることができる。その理由は、アプリケーションサーバ１０は、クライアント端末からの業務実行への応答電文として、クライアントへ業務実行とは無関係の電文を自発的に送信することができるからである。
第２の効果は、クライアント端末２０は、短時間で業務アプリケーション６０の実行を中断できることにある。その理由は、アプリケーションサーバ１０がクライアント端末へ自発的に電文を送信し、クライアント端末でポップアップメッセージを出して中断するか否かをユーザに対して選択させることができるからである。
【００３４】
また、本実施形態では、アプリケーションサーバを使用して既に構築されている環境を流用しているため、新たな回線を敷設する必要がなく、コストの増加を抑えることができる。さらに付言すれば、既存の専用の回線を用いることで、例えば、上述の特許文献１のように、ＳＩＰ通信で行うものに比べ、通信速度も速い（特許文献１は、クライアントからの応答を期待するものでもない）。
【００３５】
さらに、例えば、上述の特許文献２では、サーバ側からクライアント側へ緊急地震速報を通知する仕組みを提供しているが、その通知を受けたクライアント側が改めてサーバ側に応答電文を送信する手段は提供していないのに対し、本実施形態では、アプリケーションサーバがクライアント端末へ情報を通知するだけではなく、応答を要求することにより、クライアント端末側のユーザが緊急時に迅速に行動することが可能である。
【００３６】
＜変形例＞
以上のように本発明の好適な実施形態について説明したが、本発明は、以上の実施形態に限定されるべきものではなく、特許請求の範囲に表現された思想および範囲を逸脱することなく、種々の変形、追加、および省略が当業者によって可能である。
【００３７】
例えば、上述の本実施形態では、クライアント端末が業務を中断した場合、緊急停止用プロセス５０は、業務アプリケーション６０を停止し、実行前の状態に戻しているが、これに限られず、例えば、業務を破棄したり、バックグラウンドで業務の実行を継続させたりすることも可能である。
【００３８】
また、上述の本実施形態では、接続中の全てのクライアントに緊急メッセージを送信しているが、クライアント接続端末情報４０の情報を元に、特定の地域のクライアントに対してのみ緊急メッセージを送信することも可能である。
【００３９】
さらに、上述の本実施形態では、緊急メッセージ通知システム７０はアプリケーションサーバ１０の外部にある場合を例にとって説明したが（図１参照）、本発明はこれに限られず、緊急メッセージ通知システム７０をアプリケーションサーバ１０の内部に配置し、緊急メッセージをアプリケーションサーバ１０で作成することも可能である。
【００４０】
さらに、上記実施形態では、アプリケーションサーバ１０において、それぞれの処理機能が備えられている構成を説明したが、本発明はこれに限られず、各機能がアプリケーションサーバ１０と通信可能に接続されたネットワーク上に又は他の装置に備えて構成することもできる。
【００４１】
上記の実施形態の一部または全部は、以下の付記のようにも記載されうるが、以下には限られない。
【００４２】
（付記１）アプリケーションを提供するアプリケーションサーバ、及び前記アプリケーションを利用可能なクライアント端末を含み、該クライアント端末に対して緊急メッセージを配信する緊急メッセージ配信システムであって、前記アプリケーションサーバは、前記クライアント端末が前記アプリケーションを実行中であるか否かを示すアプリケーション実行情報、及び前記クライアント端末の接続先情報を保持する保持部と、緊急メッセージの配信時、前記クライアント端末が前記アプリケーションを実行中であるか否かを、前記アプリケーション実行情報により判断する判断部と、前記クライアント端末が前記アプリケーションを実行中であると前記判断部が判断した場合、該クライアント端末に対して、前記アプリケーションの実行を中止するか否かを選択させるための電文を前記接続先情報に基づいて送信する電文送信部と、を備え、前記クライアント端末は、前記電文を受信した場合、前記実行中のアプリケーションを中断するか否かの選択をユーザ入力により受け付ける受付部を備える、緊急メッセージ配信システム。
【００４３】
（付記２）前記クライアント端末は、前記受付部が前記実行中のアプリケーションを中断する選択をユーザ入力より受け付けた場合、前記アプリケーションサーバに対して応答電文を送信する応答電文送信部を更に備え、前記アプリケーションサーバは、前記応答電文送信部により送信された応答電文を受信する受信部と、前記応答電文を受信した場合に、前記アプリケーションの実行を停止する停止部とを更に備える、付記１に記載の緊急メッセージ配信システム。
【００４４】
（付記３）前記送信部は、前記クライアント端末が前記アプリケーションを実行中でないと前記判断部が判断した場合、該クライアント端末に対して前記アプリケーションの実行を禁止するための電文を送信する、付記１又は付記２に記載の緊急メッセージ配信システム。
【００４５】
（付記４）前記アプリケーションは、第一緊急度を有する第一アプリケーション、及び前記第一緊急度より緊急度が低い第二緊急度を有する第二アプリケーションを含み、前記判断部は、緊急メッセージの配信時、前記クライアント端末が、前記第一アプリケーションを実行中であるか否か、また、前記第二アプリケーションを実行中であるか否かを前記保持部から判断し、前記クライアント端末が前記第一アプリケーションを実行中であると前記判断部が判断した場合、該クライアント端末に対して、前記アプリケーションの実行を中止するか否かを選択させるための電文を前記接続先情報に基づいて送信し、前記クライアント端末が前記第二アプリケーションを実行中であると前記判断部が判断した場合、該クライアント端末に対して前記アプリケーションの実行を停止したことを通知するための電文を前記接続先情報に基づいて送信し、前記停止部は、前記クライアント端末が前記第二アプリケーションを実行中であると前記判断部が判断した場合、前記アプリケーションの実行を停止する、付記２に記載の緊急メッセージ配信システム。
【００４６】
（付記５）前記緊急メッセージを前記アプリケーションサーバに対して通知する緊急メッセージ通知システムを更に含む、付記１〜付記４のいずれか１項に記載の緊急メッセージ配信システム。
【００４７】
（付記６）アプリケーションを提供するアプリケーションサーバ、及び前記アプリケーションを利用可能なクライアント端末を含むシステムにおいて、該クライアント端末に対して緊急メッセージを配信する緊急メッセージ配信方法であって、前記アプリケーションサーバが、前記クライアント端末が前記アプリケーションを実行中であるか否かを示すアプリケーション実行情報、及び前記クライアント端末の接続先情報を保持する段階と、前記アプリケーションサーバが、緊急メッセージの配信時、前記クライアント端末が前記アプリケーションを実行中であるか否かを前記アプリケーション実行情報により判断する段階と、前記アプリケーションサーバが、前記クライアント端末が前記アプリケーションを実行中であると前記判断部が判断した場合、該クライアント端末に対して前記アプリケーションの実行を中止するか否かを選択させるための電文を前記接続先情報に基づいて送信する段階と、前記クライアント端末が、前記電文を受信した場合、前記実行中のアプリケーションを中断するか否かの選択をユーザ入力により受け付ける段階と、を含む、緊急メッセージ配信方法。
【符号の説明】
【００４８】
１…緊急メッセージ配信システム、１０…アプリケーションサーバ、２０，２１…クライアント端末、３０…通信制御部、４０…クライアント接続端末情報、５０…アプリケーション緊急停止用プロセス、６０，６１…アプリケーション、７０…緊急メッセージ通知システム。
【図１】
0005679307.tif 000002
【図２】
0005679307.tif 000003
【図３】
0005679307.tif 000004
【図４】
0005679307.tif 000005
【図５】
0005679307.tif 000006